(57)【要約】      （修正有）【課題】印加電圧の低い低消費電力の発光ダイオードを用いて、印加電圧が高く、高消費電力の高輝度発光ダイオードと同じ発光效果を提供し、高輝度発光ダイオードの使用が不必要で、電力の消耗を減らすことができ、使用者の疲労感を減らし、応援の興味も鼓吹させることができる応援道具を提供する。【解決手段】光が発光される発光部１１と、発光部１１を支持し、把持可能なホルダー２１と、ホルダー２１に収容されて光を発する一つ以上の発光ダイオード４１と、発光ダイオード４１から入射される光を集光して、発光部１１で拡散させるレンズ部５１とを含む。【選択図】図２
2015204298.tif 000002
【特許請求の範囲】
【請求項１】
光が発光される発光部と；
前記発光部を支持し、把持可能なホルダーと；
前記ホルダーに収容されて、光を発する一つ以上の発光ダイオードと；
前記発光ダイオードから入射される光を集光して前記発光部で拡散させるレンズ部と；
前記発光部に設けられて、前記レンズ部から発散される光を均一に拡散するように反射及び透過させる反射部材とを含み、
前記レンズ部は、
前記発光ダイオードから入射される光を前記発光部で拡散させるレンズ本体であって、半球状の断面形状を有し、前記発光ダイオードで発する光を集光する集光レンズ部と、平らな形状を有し、前記集光レンズ部を通過した光を拡散する拡散レンズ部とを含む、レンズ本体と；
前記レンズ本体を前記ホルダーに支持するレンズホルダーとを含み、
前記拡散レンズ部の周囲には一対の突起が前記拡散レンズ部の半径方向に突出され、
前記レンズホルダーは、上端と下端を含む両端が開口された筒状を有し、前記レンズホルダーの内側に前記レンズ本体が収容される本体収容部と、一端の開口の周囲に陷沒して形成された一対の嵌合溝を含み、
前記レンズ本体が前記レンズホルダーの前記本体収容部に収容されると同時に、前記一対の突起が前記一対の嵌合溝に嵌合される、応援道具。
【発明の詳細な説明】
【技術分野】
【０００１】
本発明は応援道具に関するもので、詳しくは、発光ダイオードで発する光を集光、拡散するレンズを備えた応援道具に関するものである。
【背景技術】
【０００２】
通常、室外で開催される各種スポーツ競技、コンサート、イベントの時、応援效果を高めるために、喇叭、呼び子、棒チューブなどのような聴覚的応援道具が広く使われる。
【０００３】
近来には、夜や室内で開催される各種スポーツ競技、コンサート、イベントの時、雰囲気をよりいっそう盛り上げ、視覚的效果を極大化するために、個人用ライター、爆竹、蛍光物質の作用によって発光するステッキ、発光ダイオードを利用した応援道具がある。
一方、大韓民国実用新案登録第２０−０３１９２８０号にはピエゾケーブルを利用した無電池発光応援道具に対する先行技術が開示されている。
【０００４】
先行技術に開示された応援道具は、ピエゾケーブルで発生する電流を利用する無電池発光応援道具であって、応援道具を振る強度によってピエゾケーブルに発生する電流の強さにあたる色の光を発光ダイオードで発する構成を有する。
【０００５】
ところが、このような従来の発光ダイオードを利用した応援道具は、応援道具を振る強度によってピエゾケーブルで発生する電流の強さが変わるため、発光される光の輝度も変わるので、高輝度の光を発するためには高価で且つ高電力が消耗される発光ダイオードを用いる必要があり、また、使用者が応援道具を激しく振らなければならないため、使用者が老弱者や子供の場合、応援道具の使用により容易に疲れを感じるようになり、応援の興味感も低減される問題がある。
【発明の概要】
【発明が解決しようとする課題】
【０００６】
本発明は上述した問題に鑑みて創案されたもので、印加電圧の低い低消費電力の発光ダイオードを用いて印加電圧が高く、高消費電力の高輝度発光ダイオードと同じ発光效果を提供し、高輝度発光ダイオードの使用が不必要で、電力の消耗を減らすことができ、使用者の疲労感を減らし、応援の興味も鼓吹させることができる応援道具を提供することを目的とする。
【課題を解決するための手段】
【０００７】
上記目的を達するために、本発明は、光が発光される発光部と；上記発光部を支持し、把持可能なホルダーと；上記ホルダーに収容されて光を発する一つ以上の発光ダイオードと；上記発光ダイオードから入射される光を集光して、上記発光部で拡散させるレンズ部とを含む、応援道具によって達成される。
ここで、上記発光部に設けられて、上記レンズ部から発散される光を均一に拡散するように反射及び透過させる反射部材をさらに含むことができる。
【０００８】
上記レンズ部は、上記発光ダイオードから入射される光を上記発光部で拡散させるレンズ本体と；上記レンズ本体を上記ホルダーに支持するレンズホルダーとを含むことができる。
上記レンズ本体は、上記発光ダイオードから発する光を集光する集光レンズ部と；上記集光レンズ部を通過した光を拡散する拡散レンズ部とを含むことができる。
【発明の効果】
【０００９】
本発明によれば、発光ダイオードで発する光を集光及び拡散するレンズ部を備えることによって、印加電圧の低い低消費電力の発光ダイオードを用いて印加電圧が高く、高消費電力の高輝度発光ダイオードと同じ発光效果を提供し、高輝度発光ダイオードの使用が不必要で、電力消耗を減らすことができ、使用者の疲労感を減らし、応援の興味も鼓吹させることができる。
【図面の簡単な説明】
【００１０】
【図１】本発明の一実施形態による応援道具の斜視図である。
【図２】図１の縦断面図である。
【図３】図２のレンズ部の斜視図である。
【図４】図３の分解斜視図である。
【図５】図１の応援道具で発光ダイオードの光が反射されることを示した図面である。
【発明を実施するための形態】
【００１１】
以下、添付図面を参照して本発明について詳しく説明する。
【００１２】
図１及び図２には本発明の一実施形態による応援道具が示されている。これらの図面に示したように、本発明の一実施形態による応援道具１０は、発光部１１、ホルダー２１、発光ダイオード４１、レンズ部５１を含む。
【００１３】
発光部１１は透明材質からなり、レンズ部５１から発散される光を外部へ発光する。本実施形態における発光部１１は両側が開口された中空の円形断面の棒状を有するが、これに限定されず、発光部１１は多様な形態に変形可能である。
一方、発光部１１の内側にはレンズ部５１から発散される光を均一に拡散するように反射及び透過させる反射部材１３が設けられている。
【００１４】
本実施形態ではシート状の反射部材１３が発光部１１の内側に設けられていることが示されているが、これに限定されず、発光部１１自体に反射部材１３の構成物質を含有させることもできる。
【００１５】
ここで、反射部材１３は必要によって選択的に介在されることができ、発光部１１に反射部材１３が装着されない場合、レンズ部５１から投射される光は発光部１１を通じて外部へ直接発散される。
【００１６】
また、発光部１１は、他の実施形態として観覧者の視野を妨害しないために、発光部１１の前面を透明材質にし、後面を半透明材質にして、レンズ部５１から発散される光が発光部１１の前面のみで発散され、後面では部分的に遮断することもできる。
発光部１１の一側開口には発光部１１内に入射された光が開口を通じて外部に発散されることを遮蔽する遮蔽部材１５が装着されている。
【００１７】
ホルダー２１は把持可能に一側が開口された所定長さの中空の棒状である。ホルダー２１の開口領域が発光部１１の他側開口と連通するように、ホルダー２１は結合リング３１によって発光部１１の他側開口に結合されて発光部１１を支持する。
【００１８】
一方、ホルダー２１の内側には回路基板２３が収容され、回路基板２３は発光ダイオード４１の動作、特に点滅動作などを制御する運営プログラムが内装されたマイクロプロセッサ（図示せず）が内装されている。
【００１９】
また、ホルダー２１の内側には回路基板２３及び発光ダイオード４１に電源を提供するためのバッテリー２７が収容されるバッテリー収容部２５が設けられている。ホルダー２１の外側にはバッテリー２７から回路基板２３及び発光ダイオード４１に印加される電源のオン／オフを制御する電源スイッチ２９が備えられている。
【００２０】
発光ダイオード４１は互いに異なる色相を発する複数の発光ダイオード４１が適正間隔で回路基板２３に装着され、ホルダー２１に収容されて光を発する。互いに異なる色相を発する複数の発光ダイオード４１を設けることによって、多様な色相の演出が可能で、雰囲気をよりいっそう盛り上げ、視覚的效果を極大化させて使用者の興味を誘発させる。
【００２１】
本実施形態における発光ダイオード４１は低価でありながら超小型であり、印加電圧の低い低消費電力の発光ダイオード４１を用いる。ここで、発光ダイオード４１は一つのみ設けることもできる。
【００２２】
レンズ部５１はホルダー２１に収容されて、発光ダイオード４１から入射される光を集光して発光部１１で拡散させる。レンズ部５１は、図３及び図４に示すように、発光ダイオード４１から入射される光を発光部１１で拡散させるレンズ本体５３と、レンズ本体５３をホルダー２１に支持するレンズホルダー６１とを含む。
レンズ本体５３は透明材質からなる半球状の断面形状を有し、集光レンズ部５５と拡散レンズ部５７とを含む。
【００２３】
集光レンズ部５５はレンズ本体５３の突出して形成された部分で、各発光ダイオード４１に向けて対向して配置されて、各発光ダイオード４１で分散されて発する光を集光する。
【００２４】
拡散レンズ部５７はレンズ本体５３の平らに形成された部分で、発光部１１に向けて配置されて、集光レンズ部５５を通過した光を拡散させる。拡散レンズ部５７の周囲には一対の突起５９が拡散レンズ部５７の半径方向に部分的に突出して形成されている。一対の突起５９は後述するレンズホルダー６１の嵌合溝６５に嵌合される。ここで、図示されてないが、拡散レンズ部５７の板面には光の出力及び輝度をさらに増加させるためにフレネルレンズを含むプリズムシートが設けられることができる。
【００２５】
レンズホルダー６１は両側が開口された円形断面の筒形状を有し、レンズホルダー６１の内側にはレンズ本体５３が収容される本体収容部６３が形成されている。発光部１１に向けるレンズホルダー６１の開口の周囲には一対の嵌合溝６５が陷沒形成されている。一対の嵌合溝６５にはレンズ本体５３の一対の突起５９がそれぞれ嵌合される。
【００２６】
それによって、レンズ本体５３がレンズホルダー６１の本体収容部６３に収容されると同時に、レンズ本体５３の突起５９がレンズホルダー６１の嵌合溝６５に嵌合される。それによって、レンズ本体５３はレンズホルダー６１に堅固に結合されてレンズ部５１を形成する。
このような構成によって、本発明による応援道具１０の使用方法及び作用を説明すれば次の通りである。
【００２７】
使用者がホルダー２１を掴んで電源スイッチ２９を選択して電源を印加させると、バッテリー２７の電源が回路基板２３のマイクロプロセッサ及び発光ダイオード４１に印加される。
【００２８】
回路基板２３のマイクロプロセッサに内装された運営プログラムによって各発光ダイオード４１が同時にまたは選択的に点灯されてレンズ部５１のレンズ本体５３に入射される。
【００２９】
レンズ本体５３に入射された光は、図５に示すように、レンズ部５１の集光レンズ部５５に集光されて、拡散レンズ部５７を通過して発光部１１で拡散され、反射部材１３によって均一に拡散するように反射及び透過されて、発光部１１の外部に光を発する。
【００３０】
このように、発光部１１の外部に光を発することによって夜や室内で使用者だけでなく周りの観覧者にも応援效果以外に装飾美及び娯楽的效果を加味して、各種スポーツ競技や祭り行事雰囲気を盛り上げることができる。
【００３１】
一方、本発明による応援道具１０と、本発明と同じ形状の応援道具１０にレンズを装着しないで高輝度発光ダイオード４１を装着した比較対象品との配光角及び輝度の測定結果が以下の写真に示されている。
【００３２】
下の〔写真１〕は本発明による応援道具１０の配光角の測定結果であり、〔写真２〕は比較対象品の配光角の測定結果である。
2015204298.tif 000003
【００３３】
〔写真２〕  
2015204298.tif 000004
配光角の測定結果、本発明による応援道具１０の配光角は３９．７度で、比較対象品に比べて配光角が少し大きくなった。
【００３４】
また、一例として赤色系列の発光ダイオード４１について本発明による応援道具１０に対する輝度の測定結果が〔写真３〕に示されており、比較対象品に対する輝度の測定結果が〔写真４〕に示されている。
〔写真３〕  
2015204298.tif 000005
【００３５】
〔写真４〕
2015204298.tif 000006
【００３６】
一方、〔グラフ１〕には本発明による応援道具１０と比較対象品の発光部１１の位置別輝度の測定結果を一つのグラフで示した。
〔グラフ１〕
2015204298.tif 000007
〔グラフ１〕でＣｕｒｖｅ１は本発明による応援道具１０の輝度の測定結果値であり、Ｃｕｒｖｅ２は比較対象品の輝度の測定結果である。
また、表１は上記〔グラフ１〕の主要部分を数値化したものである。
【００３７】
【表１】
2015204298.tif 000008
【００３８】
上記のように、本発明による応援道具１０と高輝度発光ダイオードを採用した比較対象品の輝度の測定結果、本発明による応援道具１０は比較対象品に比べて輝度の分布がより優れていることが分かる。
【００３９】
このように、本発明によれば、発光ダイオードから入射される光を集光して発光部で拡散させるレンズ部を含むことによって、印加電圧の低い低消費電力の発光ダイオードを用いて印加電圧が高く、高消費電力の高輝度発光ダイオードと同じ発光效果を提供し、高輝度発光ダイオードの使用が不必要で、電力消耗を減らすことができ、使用者の疲労感を減らし、応援の興味も鼓吹させることができる。
【００４０】
一方、本発明の応援道具は前述した興味誘発及び娯楽效果のある応援補助道具の用途に限定されず、周辺の注意をひくようにする警告表示灯や作業場の作業表示灯としても適用することもできる。
【００４１】
上記実施形態は例示的なものに過ぎず、当該技術分野において通常の知識を有する者であれば多様な変形及び均等な他の実施形態が可能である。従って、本発明の真の技術的保護範囲は特許請求の範囲に記載された発明の技術的思想によって定められるべきである。
【符号の説明】
【００４２】
１０：応援道具  
１１：発光部  
１３：反射部材  
１５：遮蔽部材  
２１：ホルダー  
２３：回路基板  
２５：バッテリー収容部  
２７：バッテリー  
２９：電源スイッチ  
３１：結合リング  
４１：発光ダイオード  
５１：レンズ部  
５３：レンズ本体  
５５：集光レンズ部  
５７：拡散レンズ部  
５９：突起  
６１：レンズホルダー  
６３：本体収容部  
６５：嵌合溝  
【図１】
2015204298.tif 000009
【図２】
2015204298.tif 000010
【図３】
2015204298.tif 000011
【図４】
2015204298.tif 000012
【図５】
2015204298.tif 000013